(57)【特許請求の範囲】
【請求項１】
建物本体上部に傾斜屋根面と平坦な屋根面との両方が形成されたユニット式建物の屋根構造において、
前記傾斜屋根面は、屋根面を傾斜配置させるための傾斜屋根ユニットを含んで形成され、
前記平坦な屋根面は、下地フレーム及びこの下地フレーム上に配設される平坦な屋根材を備えたフラット屋根ユニットと、昇降用階段に連通する開口部を備えたアダプタユニットとを含んで形成され、
前記アダプタユニットと前記フラット屋根ユニットの下地フレームとが隣接配置され、かつ、上面が同一高さに構成され、
前記アダプタユニットの上部には、屋上に出入りする開口部を有するペントハウスユニットが位置変更可能に接合されていることを特徴とするユニット式建物の屋根構造。
【請求項２】
請求項１に記載されたユニット式建物の屋根構造において、
前記ペントハウスユニットは少なくとも四隅に立設される柱と、これらの柱の上端間に架け渡される上梁とを含んで形成され、前記柱の各々の下端には、前記アダプタユニットと接合される接合部が形成されていることを特徴とするユニット式建物の屋根構造。
【請求項３】
請求項２に記載されたユニット式建物の屋根構造において、
前記アダプタユニットは溝形鋼を組み合わせて形成されるフレームであり、このアダプタユニットの上面となるフランジは、前記ペントハウスユニットが接合される被接合部を有し、この被接合部は、前記溝形鋼の延出方向に沿って複数配列されていることを特徴とするユニット式建物の屋根構造。
【請求項４】
請求項１〜３のいずれかに記載されたユニット式建物の屋根構造において、
前記ペントハウスユニットは、上部に傾斜屋根面を形成する傾斜面を備えていることを特徴とするユニット式建物の屋根構造。
【発明の詳細な説明】
【０００１】
【発明の属する技術分野】
本発明は、ユニット式建物の屋根構造に係り、詳しくは、斜線制限を受けるユニット式建物において、建物本体上部に平坦な屋根面と傾斜屋根面との両方を形成し、斜線制限を満足し、かつ屋根面の有効利用を図ることができるユニット式建物の屋根構造に関する。
【０００２】
【背景技術】
従来より、予め工場で製造した建物ユニットや屋根ユニットを建築現場で組み合わせて形成されるユニット式建物が利用されている。これら建物ユニットや屋根ユニットは平面寸法がモジュール化されており、１の建物ユニット上に１の屋根ユニットが載置されることにより、全体として構造上強固な建物が形成される。このようなユニット式建物によれば、建築現場における作業が軽減され、短期間で施工が完了するという利点がある。
【０００３】
一方、狭い敷地の有効利用を図るという目的で、３階建てのユニット式建物が多く建築されるようになり、さらには、ユニット式建物の建物本体上部に平坦な屋根面を形成し、この平坦な屋根面にソーラーユニットや空調機の室外機を配置したり、歩行屋根面とすることによって屋上空間の有効利用が図られている。
【０００４】
ところで、平坦な屋根面を歩行屋根面として利用する場合には、建物本体に昇降用の階段を設け、出入り口を平坦な屋根面上に設ける必要がある。この場合、平坦な屋根面には、出入り口となる開口部を有するペントハウスを設けなければならない。
【０００５】
【発明が解決しようとする課題】
しかし、このような平坦な屋根面を設けた３階建てユニット式建物は、建築敷地における隣地境界線や道路境界線等との関係から斜線制限を受ける場合があり、この制限を満たすためには、ユニット式建物の屋根面の一部に傾斜屋根面を設けなければならなかった。
【０００６】
また、屋上にでるための昇降用階段の位置は建物ユニットの配置や昇降用階段の傾斜によって異なり、必ずしも１の建物ユニットの所定の位置に昇降用階段が取り付けられるわけではなく、これに伴い、ペントハウスユニットの位置も建物ユニット上部の所定の位置に常に納まるとは限らず、場合によっては２つの建物ユニットに跨って配置されることもある。このような場合、ペントハウスの位置に応じて建物毎に特別なペントハウスユニットを製造していては、製造コストのアップ、製造工程の複雑化を招くという点で問題があった。
【０００７】
本発明の第１の目的は、平坦な屋根面を歩行屋根面として使用する場合に、出入り口として設けられるペントハウスユニットの製造コストをアップさせないユニット式建物の屋根構造を提供することにあり、本発明の第２の目的は、平坦な屋根面を設けたユニット式建物の屋根構造において、斜線制限内に容易に納まるユニット式建物の屋根構造を提供することにある。
【０００８】
【課題を解決するための手段】
本発明は、図面の符号を用いて説明すると、建物本体１０３（１４１、１５１）上部に傾斜屋根面１０５（１４２、１５２）と平坦な屋根面１０４との両方が形成されたユニット式建物１０１（１４０、１５０）の屋根構造において、前記傾斜屋根面１０５は、屋根面を傾斜配置させるための傾斜屋根ユニット１１２、１１３を含んで形成され、前記平坦な屋根面１０４は、下地フレーム１１０Ａ及びこの下地フレーム１１０Ａ上に配設される平坦な屋根材１１０Ｂを備えたフラット屋根ユニット１１０と、昇降用階段１２１（１４５、１５５）に連通する開口部を備えたアダプタユニット４０とを含んで形成され、前記アダプタユニット４０と前記フラット屋根ユニット１１０の下地フレーム１１０Ａとが隣接配置され、かつ、上面が同一高さに構成され、前記アダプタユニット４０の上部には、屋上に出入りする開口部１５を有するペントハウスユニット１０が位置変更可能に接合されていることを特徴とするものである。
【０００９】
ペントハウスユニット１０は、アダプタユニット４０を介して建物本体１０３（１４１、１５１）上部の平坦な屋根面１０４上に配設され、このアダプタユニット４０とペントハウスユニット１０とが位置変更可能に接合されている。従って、建物本体１０３（１４１、１５１）を構成する建物ユニット１０７（１４３、１５３）の配置や、昇降用階段１２１（１４５、１５５）の傾斜が異なる場合でも、これに対応して、ペントハウスユニット１０の位置が変更され、屋上への出入り口として設けられるペントハウスの構築に使用される部品の共用化が図られる。
【００１０】
以上において、ペントハウスユニットとしては、少なくとも四隅に立設される柱１６と、これらの柱１６の上端間に架け渡される上梁１７とを含んで形成され、柱１６の各々の下端にアダプタユニット４０と接合される接合部１８が形成されたペントハウスユニット１０を採用するのが好ましい。
【００１１】
ペントハウスユニット１０は、構造計算上、建物本体１０３（１４１、１５１）に付帯して設けられる付設物であり、出入り口を設けてあればよく、床等の建築要素を一部省略でき、その重量も軽くできる。従って、ペントハウスユニット１０の四隅の柱１６の下端間に下梁を架け渡さなくても、アダプタユニット４０との接合により構造上の強度が確保される。よって、ペントハウスユニットの材料コストの低減が図られ、また、ペントハウスユニットの配設の際、揚重作業の簡単化が図られる。
【００１２】
また、アダプタユニット４０としては、溝形鋼４１を組み合わせて形成されるフレーム４２を含んで構成されるものが採用できる。そして、このアダプタユニット４０の上面となるフランジ面４１Ａは、ペントハウスユニット１０が接合される被接合部４３を有するものであり、この被接合部４３が溝形鋼４１の延出方向に沿って複数配列されていることが好ましい。
【００１３】
アダプタユニット４０上に複数の被接合部４３を設けることにより、ペントハウスユニット１０はこのアダプタユニット上に位置変更可能に接合することができる。ここで、アダプタユニット４０上の被接合部４３は、予め溝形鋼４１のフランジ面４１Ａにパンチング等で孔を開けることにより簡単に形成できるので、アダプタユニットの製造コストが低減される。
【００１４】
さらに、ペントハウスユニット１０としては、上部にユニット式建物１０１（１４０、１５０）の傾斜屋根面１０５（１４２、１５２）と略同一の傾斜角度を有する傾斜面２０を備えたペントハウスユニットを採用するのがよい。
【００１５】
ペントハウスユニット１０の上部は、ユニット式建物１０１（１４０、１５０）の最上部となる可能性が高く、ペントハウスユニット１０の上部が斜線制限を受ける場合がある。このような場合に、ペントハウスユニットの傾斜面２０がユニット式建物の傾斜屋根面１０５と略同一の角度に形成されていれば、ペントハウスユニットの傾斜面２０がこの傾斜屋根面１０５と連続して斜線制限が満足され、かつ、外観意匠も向上する。
【００１８】
【発明の実施の形態】
本発明の第１の実施形態を図面に基づいて説明する。
【００１９】
図１〜図５には、第１の実施形態を実現するための構成体が示されており、図１はペントハウスユニット、図２は傾斜屋根ユニットとペントハウスユニットを連続させるジョイントユニット、図３はアダプタユニット、図４は傾斜屋根ユニットの基礎フレーム、図５は傾斜屋根ユニット上に取り付けられる屋根パネルが示されている。そして、これらの構成体を組み合わせることにより、ペントハウスは平坦な屋根面上に位置変更可能に配設することができる。以下これらの各構成体について説明する。
【００２０】
図１に示されるように、ペントハウスユニット１０は、下地となるフレーム１１と、このフレーム１１の外側に外壁材として取り付けられるＡＬＣ板１２及びコーナーパネル１３と、フレーム１１の上部に取り付けられる屋根パネル１４と、出入り口用開口部となる扉１５とから構成されている。ここで、ＡＬＣ板１２は、扉１５が設けてある面と、この面に直交して隣合う２つの面との３面に取り付けてあり、扉１５が設けてある面に対向する面には、昇降用階段への通路を確保するためにＡＬＣ板１２は取り付けられていない。
【００２１】
ペントハウスユニット１０を構成するフレーム１１は、平面正方形の４つの頂点及びこの正方形の１辺上の中点二箇所に配置立設された６本の角形鋼管製の柱１６と、これらの柱１６の上端間に架け渡される上梁１７とを含んで形成されている。そして、各々の柱１６の下端小口面には、正方形状の鋼板が溶接され接合部１８が形成されている。尚、図１では図示を略したが、この接合部には、ボルトナット固定する為の孔が複数形成されている。また、柱１６は、ペントハウスユニットの傾斜面２０に沿って屋根パネル１４が配設できるように、図１中右側に行くに従って短くなっている。
【００２２】
一方、柱１６の下部にはＡＬＣ板受け材１９が設けられており、ＡＬＣ板１２は、上梁１７上に設けられた図示しない止め金具と、この受け材１９によって支持固定されている。また、扉１５は、図示しない枠により上梁１７及び受け材１９に固定されている。
【００２３】
屋根パネル１４は、溝形鋼からなる四角形状の下地フレーム（図示略）上に野地板を取り付け、さらにその上にアスファルト製の防水シートを張り付け、さらにその上に屋根材を取り付けて形成され、この屋根パネル１４がフレーム１１の上部に設けられたブラケット（図示略）に固定され、ペントハウスユニットの傾斜面２０を形成している。
【００２４】
次に、傾斜屋根面と上述したペントハウスユニットを接続するジョイントユニットについて説明する。尚、既に説明した部材と同じ部材には、同一符号を付し、その説明を省略若しくは簡略にする。
【００２５】
図２に示されるように、ジョイントユニット３０は、外観形状及び構成部材を上述したペントハウスユニット１０とほぼ同じくするが、傾斜屋根面の角度に沿って、上部の高さは、ペントハウスユニット１０よりも低くなっている。より詳しく説明すれば、ジョイントユニット３０は、四隅に立設される柱３１とこれらの柱の間に架け渡される上梁３２からなるフレーム３３と、このフレーム３３の互いに対向する垂直面に取り付けられるＡＬＣ板１２とを含んで形成されている。そして、ＡＬＣ板１２の取り付けられた面に直交する面には、昇降用階段への通路確保のためＡＬＣ板１２は取り付けられていない。また、ペントハウスユニット１０と同様に、４本の柱３１の下端には接合部１８が形成され、上端は図２中右に行くに従って低くなっており、さらに、柱３１の上部には屋根パネル３２が接合されている。
【００２６】
アダプタユニット４０は、図３に示すように、溝形鋼４１を四角形状に組み合わせたフレーム４２から構成されている。そして、フレーム４２の上面となる溝形鋼４１の上部フランジ４１Ａには、被接合部となる孔４３が溝形鋼４１の延出方向に沿って複数形成されている。尚、フレーム４２により囲まれた空間は、昇降用階段に連通する開口部として使用される。
【００２７】
傾斜屋根ユニットの基礎フレーム５０は、図４に示されるように、溝形鋼を四角形状に組み合わせたフレーム５１を有し、図４中左側にあたる２箇所の隅角部に立設される２本の束５２とこの２箇所の隅角部に対向する２箇所の隅角部に設けられる２つの屋根受け材５３とを含んで形成されている。束５２の上部には、後述する屋根パネル６０を支持するために支持部５２Ａが形成されている。尚、図示を略したが、この支持部５２Ａには、屋根パネル６０の固定用に複数の孔が形成され、さらに、屋根パネル６０を仮据えするために、ピンが立設されている。
【００２８】
屋根パネル６０は、図５に示されるように、溝形鋼を四角形状に組み合わせた下地フレーム６１と、この下地フレーム６１の上面側に取り付けられる野地板６２と、この野地板６２に配設される防水シート６３とを含んで形成されている。尚、下地フレーム６１の下面側には、図示を略したが、上述した傾斜屋根ユニットの基礎フレーム５０に設けられた支持部５２Ａとの接合用の取付部が複数形成されている。
【００２９】
上述した構成体を組み合わせて形成したユニット式建物の屋根構造について、第１の組み合わせ例を以下に説明する。尚、以下において、直方体形状の建物ユニットを隣接配置する場合、建物ユニットの長辺の梁の延出方向に沿って建物ユニットが隣接配置された面を桁側側面と呼び、短辺の梁の延出方向に沿って建物ユニットが隣接配置された面を妻側側面と呼ぶ。
【００３０】
図６には、第１の組み合わせ例に係るユニット式建物が示されている。このユニット式建物の妻側側面に沿って傾斜屋根面が形成された屋根構造を有している。ユニット式建物１０１は、３階建てのユニット式建物であり、基礎１０２と、この基礎１０２上に配設される建物本体１０３と、この建物本体１０３の上部に配設される平坦な屋根面１０４と、この平坦な屋根面１０４上に配設されるペントハウスユニット１０及びジョイントユニット３０と、傾斜屋根面１０５とを含んで形成されている。
【００３１】
建物本体１０３は、直方体形状の建物ユニット１０６、１０７を並設載置することによって形成され、斜線制限を受ける図中右上の３階端部には、台形ユニット１０８が載置されている。
【００３２】
平坦な屋根面１０４は、建物本体１０３を構成する建物ユニット１０６、１０７の平面寸法を同じくする平板状のフラット屋根ユニット１０９、１１０、１１１が上記建物ユニット１０６、１０７に対応して複数並設されることにより形成され、ユニット式建物１０１の中央部には、建物ユニット１０６、１０７の配置とは独立して、ペントハウスユニット１０と、ジョイントユニット３０が配設されている。
【００３３】
一方、傾斜屋根面１０５は、上述した傾斜屋根ユニットの基礎フレーム５０に屋根パネル６０を取り付けた傾斜屋根ユニット１１２と、この傾斜屋根ユニット１１２と構成を同一にし、平坦な屋根面１０４との取り合い部に立ち上がり壁を設け、さらに図中右手前屋外側端部にＡＬＣ板１２を取り付けた傾斜屋根ユニット１１３とを、台形ユニットの傾斜面１０８Ｂを一致させるように並設配置することにより形成されている。
【００３４】
図７には、図６におけるVII−VII線切断図が示されており、建物本体１０３の内部に設けられた昇降用階段とペントハウスユニットの位置関係を示す図であり、建物ユニット１０７と台形ユニット１０８とは、桁側側面に沿って隣接配置されている。建物ユニット１０７の上部には、フラット屋根ユニット１１０が載置され、その屋外側端部には手摺り１１４が設けられている。このフラット屋根ユニット１１０は、下地フレーム１１０Ａ及びこの下地フレーム上に取り付けられる床用ＡＬＣ板１１０Ｂとを含んで形成されている。
【００３５】
一方、台形ユニットの上部には、傾斜屋根ユニット１１２と、この傾斜屋根ユニット１１２の基礎フレーム５０に隣接配置されるアダプタユニット４０とが載置されている。このアダプタユニット４０の上部には、さらに、ペントハウスユニット１０及びジョイントユニット３０が載置され、接合されている。尚、ペントハウスユニット１０の扉１５に最も近い柱１６は、フラット屋根ユニット１１０の床用ＡＬＣ板１１０Ｂを切り欠いた開口に挿入され、下地フレーム１１０Ａ上に載置接合されている。
【００３６】
昇降用階段１２１は、台形ユニット１０８の内部に形成されており、台形ユニットの上梁１０８Ａに接合されている。そして、昇降用階段１２１の上部は、アダプタユニット４０の開口部に連通し、歩行屋根面となる平坦な屋根面１０４に昇降可能となるように、昇降用階段１２１の上部には、踏み段１２２が配設接合されている。
【００３７】
傾斜屋根面１０５は、屋根パネル６０を台形ユニットの傾斜面１０８Ｂと、基礎フレーム５０の支持部５２Ａ及び屋根受け材５３に跨って配設することにより形成されている。そして、この屋根パネル６０の上部先端には、ジョイントユニット３０の屋根パネル３４、さらにこの屋根パネル３４の上部先端には、ペントハウスユニット１０の屋根パネル１４が接続され、連続する傾斜面を形成している。このようにして形成された傾斜面上に、屋根仕上げ材１２３が取り付けられる。
【００３８】
図８には、アダプタユニット４０の被接合部４３とペントハウスユニット１０の柱１６の下端に形成された接合部１８との接合構造が示されている。図中右にあるアダプタユニット４０には、フラット屋根ユニット１１０の下地フレーム１１０Ａが隣接配置されており、ペントハウスユニット１０はこれらに跨って配設され、２本の柱１６は、各々アダプタユニット４０及び下地フレーム１１０Ａに接合されている。
【００３９】
接合部１８には、接合用のボルト孔１８Ａが複数形成されており、このボルト孔１８Ａとアダプタユニット４０の被接合部４３にボルト１３０をワッシャ１３１を介して挿通させて、ペントハウスユニット１０の接合は行われる。尚、図示は略したが、アダプタユニット４０の溝形鋼４１の上面フランジ４１Ａの下方には、ナットが配置されており、上記ボルト１３０とこのナットとが螺合して接合部１８及び被接合部４３は接合されている。
【００４０】
下地フレーム１１０Ａに対する接合部１８の固定もアダプタユニット４０の場合と同様に行われるが、下地フレーム１１０Ａの上面に設けられる被接合部となる孔１１０Ｃは、建築現場でペントハウスユニット１０を仮据えした際にドリルを用いて形成してもよいが、図面から位置がわかるので、工場で孔１１０Ｃをパンチング等で予め形成しておくのが望ましい。
【００４１】
次に、図１〜図５に示される構成体を組み合わせて形成されるユニット式建物の屋根構造の第２の組み合わせ例について説明する。
【００４２】
図９には、第２の組み合わせ例が示されており、このユニット式建物１４０は、建物本体１４１の桁側側面に沿って傾斜屋根面１４２が形成されている。また、建物本体１４１は、直方体状の建物ユニット１４３によって形成され、第１の組み合わせ例のような台形ユニットは用いられていない。建物ユニット１４３の上部には、斜線制限を受ける図中右端に傾斜屋根ユニット１４４が配設され、この傾斜屋根ユニット１４４に隣接してアダプタユニット４０が配設されている。尚、傾斜屋根ユニット１４４は、第１の組み合わせ例と同様に、屋根パネル及び基礎フレームから構成されているが、これらを現場で組み合わせるのではなく、予め工場で組み合わせて、建築現場に搬入される。
【００４３】
この組み合わせ例では、ペントハウスユニット１０は、傾斜屋根面１４２側に接近して、２つの建物ユニット１４３に跨って接合されており、第１の組み合わせ例のようにジョイントユニット３０は使用されていない。また、昇降用階段１４５は、２つの建物ユニット１４３に跨って配設されるので、建物ユニットとは別体で建築現場に搬送され、アダプタユニット４０に接合されている。尚、このアダプタユニット４０には、互いに対向する長辺同士の間に、上記昇降用階段１４５を支持するための支持梁（図示略）が２本架け渡されている。
【００４４】
図１０には、第３の組み合わせ例が示されており、このユニット式建物１５０は、第１の組み合わせ例と同様に建物本体１５１の妻側側面に沿って傾斜屋根面１５２が形成されているが、台形ユニットを使用していない例である。
【００４５】
この組み合わせ例では、図中右側の建物ユニット１５３の上部右側端部から、傾斜屋根ユニット１５４が配設され、この傾斜屋根ユニット１５４に隣接して、アダプタユニット４０が配設されている。そして、ペントハウスユニット１０は、アダプタユニット４０からはみ出すことなく、すべての接合部１８がこのアダプタユニット４０に接合されている。あた、第１の組み合わせ例と同様に、昇降用階段１５５は、建物ユニット１５３の上梁１５３Ａに接合固定され、上部に踏み段１５６が配設され、アダプタユニット４０の開口に連通している。
【００４６】
このような第１の実施形態によれば、以下のような効果がある。
【００４７】
ペントハウスユニット１０がアダプタユニット４０を介して建物本体１０３（１４１、１５１）の上部の平坦な屋根面１０４上に配設されているので、建物ユニット１０７（１４３、１５３）の配置によらず、位置変更可能にペントハウスを平坦な屋根面１０４上に設けることができる。
【００４８】
また、アダプタユニット４０が四角枠状のフレームという単純な構造であり、寸法の変更があっても工場で簡単に製造できるので、ペントハウスユニット１０をアダプタユニット４０上に容易に位置変更可能に接合することができる。そして、アダプタユニット４０上の被接合部４３も溝形鋼４１を組み合わせる前に、パンチング等で簡単に形成できるので、アダプタユニットの製造コストもより一層低減することができる。
【００４９】
さらに、ペントハウスユニット１０は、４本以上の柱１６とこれらの柱１６の上端間に架け渡される上梁１７からなる単純な下地フレーム１１なので、ペントハウスユニット１０の重量を軽くすることができ、ペントハウスユニットの材料コストの低減と、建築現場におけるペントハウスユニットの揚重作業の簡単化を図ることができる。
【００５０】
さらにまた、ペントハウスユニット１０の上部には、傾斜屋根面１０５（１４２、１５２）と略同一の角度を有する傾斜面が形成されているので、ペントハウスユニット１０を平坦な屋根面１０４上の斜線制限を受ける屋外側端部ぎりぎりまで接近させることができ、かつ、傾斜屋根面１０５（１４２、１５２）と連続した屋根面を形成できるので、外観意匠の向上を図ることができる。
【００６６】
その他、本発明の実施の際の具体的な構造及び形状等は、本発明の目的を達成できる範囲で他の構造等でもよい。
【００６７】
【発明の効果】
前述のように、本発明によれば、建物本体を構成する建物ユニットの配置や、昇降用階段の傾斜が異なる場合でも、これに対応して、ペントハウスの位置を変更して接合できるので、ペントハウスを構築する部材の共有化を図ることができ、ペントハウスユニットの製造コストがアップすることはない。
【図面の簡単な説明】
【図１】本発明の第１の実施形態に係るユニット式建物の屋根構造を構成するペントハウスユニットを表す概要斜視図である。
【図２】本発明の第１の実施形態に係るユニット式建物の屋根構造を構成するジョイントユニットを表す概要斜視図である。
【図３】本発明の第１の実施形態に係るユニット式建物の屋根構造を構成するアダプタユニットを表す概要斜視図である。
【図４】本発明の第１の実施形態に係るユニット式建物の屋根構造を構成する傾斜屋根ユニットの基礎フレームを表す概要斜視図である。
【図５】本発明の第１の実施形態に係るユニット式建物の屋根構造を構成する傾斜屋根ユニットに使用される屋根パネルを表す概要斜視図である。
【図６】本発明の第１の実施形態に係るユニット式建物の屋根構造を使用したユニット式建物のうち、第１の組み合わせ例を示す概要斜視図である。
【図７】図６におけるVII−VII線切断図である。
【図８】本発明の第１の実施形態におけるペントハウスユニットの接合部とアダプタユニットの被接合部との接合構造を示す概要斜視図である。
【図９】本発明の第１の実施形態に係るユニット式建物の屋根構造を使用したユニット式建物のうち、第２の組み合わせ例を示す第１の組み合わせ例の図６に相当する図である。
【図１０】本発明の第１の実施形態に係るユニット式建物の屋根構造を使用したユニット式建物のうち、第３の組み合わせ例を示す第１の組み合わせ例の図６に相当する図である。
【符号の説明】
１０  ペントハウスユニット
１５  屋上に出入りする開口部
１６  柱
１７  上梁
１８  接合部
２０  ペントハウスユニットの傾斜面
４０  アダプタユニット
４１  溝形鋼
４１Ａ  フランジ面
４２  フレーム
４３  被接合部
１０１、１４１、１５１  建物本体
１０４  平坦な屋根面
１０８  台形ユニット
１０８Ｂ  台形ユニットの傾斜面
１１０  フラット屋根ユニット
１１０Ａ  下地フレーム
１１０Ｂ  平坦な屋根材
１１２、１１３  傾斜屋根ユニット
１２１、１４５、１５５  昇降用階段
１４２、１５２  傾斜屋根面
【図１】
0003736893.tif 000002
【図２】
0003736893.tif 000003
【図３】
0003736893.tif 000004
【図４】
0003736893.tif 000005
【図５】
0003736893.tif 000006
【図６】
0003736893.tif 000007
【図７】
0003736893.tif 000008
【図８】
0003736893.tif 000009
【図９】
0003736893.tif 000010
【図１０】
0003736893.tif 000011